(57)【要約】【課題】制御装置で覆われる部品のメンテナンス作業等の作業性を向上すると共に、運搬時における制御装置の脱落を防止し得る取付構造を提供する。【解決手段】打球発射装置を配設した中枠１２を、外枠１１に開閉可能に組み付けると共に、中枠１２の裏側にヒンジ機構３６を介して打球発射装置の制御を行なう発射制御装置４１を枢支し、発射制御装置４１を回動することにより、発射制御装置４１の係合フック４７と中枠１２の係合孔３１とが係合して発射制御装置４１を中枠１２に固定するよう構成する。更に、発射制御装置４１がヒンジ機構３６を介して中枠１２に対し回動する軌跡中に臨む凹部１１ｂを、外枠１１に設け、中枠１２を外枠１１に対して閉成することで、該発射制御装置４１が凹部１１ｂに当接または近接して、発射制御装置４１の中枠１２からの離間を阻止するようにした。【選択図】図１
2005065848.tif 000002
【特許請求の範囲】
【請求項１】
遊技機の外枠と、種々の構成部品が配設され、前記外枠に開閉可能に組み付けられる中枠と、前記中枠の裏側にヒンジ機構を介して一方の側部が枢支され、前記構成部品の制御を行なう制御装置と、前記制御装置の他方の側部に形成した第１係合部と、前記中枠に形成されて前記第１係合部に係脱自在に係合する第２係合部とからなり、前記ヒンジ機構を介して前記制御装置を前記中枠に向けて回動させることで、前記第１係合部と第２係合部とを係合させて前記中枠に固定し、前記両係合部の係合を解除することで、ヒンジ機構を介して前記制御装置を中枠に対し離間方向へ回動させ得るようにした取付構造において、
前記制御装置が前記ヒンジ機構を介して前記中枠に対し回動する軌跡中に臨む規制部を前記外枠に設け、
前記制御装置を固定した中枠を外枠に対して閉成することで、該制御装置が前記規制部に当接または近接して、制御装置の中枠からの離間を阻止し得るよう構成した
ことを特徴とする遊技機における制御装置の取付構造。
【請求項２】
前記規制部は、前記外枠の内側面に一体的に形成された凹部であって、前記中枠を外枠に対して閉成した際に、前記制御装置に突設した突部が前記凹部に当接または近接して、制御装置が中枠から離間するのを阻止するようにした請求項１記載の遊技機における制御装置の取付構造。
【請求項３】
前記突部に前記第１係合部が形成されている請求項２記載の遊技機における制御装置の取付構造。
【請求項４】
前記構成部品は、遊技者の操作に応じて前記中枠に保持した遊技盤の遊技領域に向けて遊技球を打ち出し可能な打球駆動部を備えた打球発射装置であり、前記制御装置は、該打球発射装置を制御する発射制御装置であって、前記中枠に位置決めした前記発射制御装置により前記打球駆動部の後方を覆うよう構成した請求項１〜３の何れかに記載の遊技機における制御装置の取付構造。
【発明の詳細な説明】
【技術分野】
【０００１】
本発明は、遊技機における制御装置の取付構造に関し、更に詳細には、外枠に対して開閉可能に組み付けられた中枠の裏側に、ヒンジ機構と係合部とを介して着脱および開閉可能に配設された制御装置の取付構造に関するものである。
【背景技術】
【０００２】
代表的な遊技機であるパチンコ機は、パチンコ機の前面側に配置した打球発射装置の遊技者による操作に応じてパチンコ球を遊技盤の盤面に打ち出し、所要の条件の成立(例えば、始動入賞具へのパチンコ球の入賞等)に基づいて図柄表示装置での図柄変動やスピーカからの音の発生あるいは照明装置の発光等により、各種の遊技演出を行なうよう構成される。ところで、近年はパチンコ機で行なう遊技演出の複雑化や多様化が進んでおり、それに伴ってパチンコ機の裏側に配設される制御装置も増加している。しかし、パチンコ機自体の大きさには限りがあることから、各制御装置同士や、制御装置とその制御対象部品とを接続する配線をできるだけ短くしてスペースを有効に利用し得るよう様々な工夫がなされている。また、各制御装置同士や制御装置とその制御対象部品とを、単に近接して配置するだけでなく、制御装置の故障時等においては、制御装置を容易に交換し得るようにも構成されている。
【０００３】
例えば、パチンコ機の中枠に支持盤をネジ止めし、該支持盤に打球発射装置を構成する打球駆動部(ロータリーソレノイドや打球杆等)を配設すると共に、該打球駆動部の後方位置に保持台を固定し、該保持台に打球発射装置を制御する発射制御装置を配設するよう構成したものがある(特許文献１参照)。すなわち、発射制御装置を制御対象である打球発射装置に近接して配置することで、両部材を接続する配線を短くして、該発射制御装置が必要最小限のスペースだけ占有するよう構成されている。
【０００４】
また、前記特許文献１に記載された発射制御装置には、その下端部に左右方向に貫通する通孔が穿設された軸支部が形成されると共に、前記保持台には、その下縁部に右方向に向けて突出する軸部が形成され、該軸部に軸支部を挿通することで発射制御装置が保持台に対して回動自在に枢支される。更に、前記保持台における前記軸部から上方に離間した位置には係止爪が形成されて、前記発射制御装置に形成した係止軸部と係脱自在に係合し得るよう構成されている。このように、前記発射制御装置は、前記軸部を軸支部に挿通したもとで、前記係止軸部と係止爪を係合することで前記保持台(中枠)に位置決めされると共に、該係止軸部と係止爪との係合を解除したもとで、軸部から軸支部を抜き出すことで保持台(中枠)から取り外し得るようになっている。従って、前記発射制御装置に不具合が生じた場合であっても、該発射制御装置の交換作業やメンテナンス作業を容易に行ない得る。
【特許文献１】特開平７−２７５４４５号公報
【発明の開示】
【発明が解決しようとする課題】
【０００５】
ここで、前述した特許文献１に記載された発射制御装置の取付構造では、前記打球駆動部の後方を前記保持台で覆うよう構成されている。このため、前記打球駆動部に不具合が生じて交換やメンテナンス作業を行なう際には、前記保持台を取り外さなければならず、作業が煩雑となる問題を内在している。また、前記保持台は、前記支持盤に対してネジ止めされるため、打球駆動部の交換等の作業に際しては別途ドライバ等の工具が必要となり、作業性が劣る難点もあった。
【０００６】
ところで、パチンコ機は、前後の奥行き寸法が小さい縦長矩形状に形成されると共に、遊技盤や図柄表示装置等の重量物は比較的パチンコ機の上方位置に配設されているものが多い。このため、製造工場等からパチンコ機を運搬するに際して、該パチンコ機を縦置き状態(すなわちパチンコ機の下面を下側にした状態)では重心位置が高くなり、振動等によりパチンコ機が倒れてしまう畏れがある。そこで、パチンコ機を運搬するに際しては、通常はパチンコ機を横置き状態(すなわちパチンコ機の一方の側面を下側にした状態)にして重心位置を下げて、運搬時の振動等によりパチンコ機が転倒し難くしている。ここで、前記発射制御装置のように、軸部に横方向から軸支部を挿通すると共に、係止軸部と係合爪とを係合して配設する構成では、パチンコ機を横置き状態に倒して運搬するに際し、運搬時の振動等により係止軸部と係止爪との係合状態が解除されると、前記軸支部が前記軸部から抜けてしまい、該発射制御装置が中枠から脱落して損傷する畏れもある。
そこで、本発明は、制御装置で覆われる部品のメンテナンス作業等の作業性を向上すると共に、運搬時における制御装置の脱落を防止し得る取付構造を提供することを目的とする。
【課題を解決するための手段】
【０００７】
前記課題を克服し、所期の目的を達成するため、本発明に係る遊技機における制御装置の取付構造は、
遊技機(10)の外枠(11)と、種々の構成部品(20)が配設され、前記外枠(11)に開閉可能に組み付けられる中枠(12)と、前記中枠(12)の裏側にヒンジ機構(36)を介して一方の側部が枢支され、前記構成部品(20)の制御を行なう制御装置(41)と、前記制御装置(41)の他方の側部に形成した第１係合部(47)と、前記中枠(12)に形成されて前記第１係合部(47)に係脱自在に係合する第２係合部(31)とからなり、前記ヒンジ機構(36)を介して前記制御装置(41)を前記中枠(12)に向けて回動させることで、前記第１係合部(47)と第２係合部(31)とを係合させて前記中枠(12)に固定し、前記両係合部(47,31)の係合を解除することで、ヒンジ機構(36)を介して前記制御装置(41)を中枠(12)に対し離間方向へ回動させ得るようにした取付構造において、
前記制御装置(41)が前記ヒンジ機構(36)を介して前記中枠(12)に対し回動する軌跡中に臨む規制部(11b)を前記外枠(11)に設け、
前記制御装置(41)を固定した中枠(12)を外枠(11)に対して閉成することで、該制御装置(41)が前記規制部(11b)に当接または近接して、制御装置(41)の中枠(12)からの離間を阻止し得るよう構成したことを特徴とする。
【０００８】
また、前記規制部(11b)は、前記外枠(11)の内側面に一体的に形成された凹部(11b)であって、前記中枠(12)を外枠(11)に対して閉成した際に、前記制御装置(41)に突設した突部(46)が前記凹部(11b)に当接または近接して、制御装置(41)が中枠(12)から離間するのを阻止するよう構成することもできる。
【０００９】
更に、前記突部(46)に前記第１係合部(47)を形成してもよい。
【００１０】
更にまた、前記構成部品(20)は、遊技者の操作に応じて前記中枠(12)に保持した遊技盤の遊技領域に向けて遊技球を打ち出し可能な打球駆動部(22)を備えた打球発射装置(20)であり、前記制御装置(41)は、該打球発射装置(20)を制御する発射制御装置(41)であって、前記中枠(12)に位置決めした前記発射制御装置(41)により前記打球駆動部(22)の後方を覆うよう構成することも可能である。
【発明の効果】
【００１１】
本発明の請求項１に係る遊技機における制御装置の取付構造によれば、外枠に対して中枠を閉成した状態においては、前記第１係合部と第２係合部との係合が解除されるのを阻止し得るから、該制御装置が不用意に開放するのは防止される。すなわち、遊技機の運搬時の振動等により第１係合部と第２係合部との係合状態が解除されて、制御装置が中枠から脱落して損傷することはない。また、仮に遊技機の運搬時等に第１係合部と第２係合部との係合状態が解除された場合であっても、前記制御装置が中枠に対し離間方向へ回動するのは阻止されるから、制御装置が中枠から脱落して損傷するのは確実に防止し得る。更に、ヒンジ機構を中枠に直接設けたことで、該ヒンジ機構を介して制御装置を開放するだけで、該制御装置に覆われた部品の交換作業等を簡単に行なうことができる。
【００１２】
そして、請求項２に係る遊技機における制御装置の取付構造によれば、外枠の内側面に規制部としての凹部を一体的に形成したから、新たに制御装置の回動を規制する部材を設ける必要はなく、コストの増大を抑制できる。また、請求項３に係る遊技機における制御装置の取付構造によれば、前記突部と第１係合部とを同一の側部に形成することで、より確実に第１係合部と第２係合部との係合が解除されるのを阻止し得る。
【発明を実施するための最良の形態】
【００１３】
種々の構成部品を配設した中枠を前記外枠に開閉可能に組み付けると共に、該構成部品の制御を行なう制御装置を、該中枠の裏側にヒンジ機構を介して一方の側部を枢支し、該制御装置の他方の側部に形成した第１係合部と、中枠に形成した第２係合部とを係合して固定する。そして、前記制御装置が前記ヒンジ機構を介して前記中枠に対し回動する軌跡中に臨む規制部を前記外枠に設け、該中枠を外枠に対して閉成した状態では、制御装置が前記規制部に当接または近接して、前記第１係合部と第２係合部との係合が解除された際に、制御装置が規制部に当接して中枠からの離間を阻止するようにする。
【実施例】
【００１４】
次に、本発明に係るパチンコ機につき、好適な実施例を挙げて、添付図面を参照しながら、以下詳細に説明する。なお本実施例では、遊技機として、パチンコ球を遊技媒体として使用する一般的なパチンコ機を例にして説明する。なお、以下の説明において左・右とは、特に断りのない限り、図２に示すようにパチンコ機１０を正面から見た状態において指称するものとする。
【００１５】
(パチンコ機の全体構成について)
本実施例のパチンコ機１０は、図２に示すように、縦長矩形状に形成されてパチンコ機１０の外郭をなす外枠１１の開口前面側に、各種の遊技用構成部品を搭載した中枠１２が、正面左側に設けた連結支持手段１７を介して着脱および開閉可能に組み付け支持され、正面右側に設けた施錠手段１８を介して常には閉鎖状態に保持される。この中枠１２の前面側には、該中枠１２に組み付けられた遊技盤(図示せず)を透視保護するガラス板１４を備える前枠１３と、多数のパチンコ球(遊技球)を貯留し得る上球皿１５とが、横開き形態で開閉可能に組み付け整合している。また、中枠１２の下部には、上球皿１５に貯留しきれないパチンコ球を貯留する下球皿１６、および上球皿１５に貯留したパチンコ球を遊技盤の盤面に向けて打ち出す打球発射装置２０等が装着され、更に中枠１２の裏側には、各種の球経路１９ａおよび球処理部１９ｂ等を備えた機構セット盤１９(図３参照)がセットされて、これにより一台のパチンコ機１０が形成される。
【００１６】
前記中枠１２は、全体が合成樹脂成形されたタイプにおいて、内側に枠口２６ａを開口した枠体２６と、この枠体２６に一体成形されて遊技盤用のセット口２７ａを開口した保持枠２７とが形成されている(図４参照)。そして、前記枠体２６においては、枠口２６ａの下部に下球皿１６および打球発射装置２０を設置するための設置盤２８が成形され、一方保持枠２７においては、枠口２６ａの下部内側に位置する遊技補助盤２９が一体成形されており、この補助盤２９の上端縁を基準にして前記セット口２７ａが開設されて、該セット口２７ａに遊技盤が着脱自在に保持される。ちなみに中枠１２は、枠体２６で構成されるタイプのものとして、枠口２６ａに別成形された保持枠２７を整合固定するものであってもよい。
【００１７】
なお、前記上球皿１５は、複数の皿構成部材を組み合わせてユニット化され、中枠１２における枠体２６の左端側に配設したヒンジ金具３２を介して着脱および回動可能に装着され、該上球皿１５の裏面に、前記打球発射装置２０と連動して発射レール３３にパチンコ球を送り出す球送り装置(図示せず)を取り付けてある。ここで、前記発射レール３３は、断面略Ｍ字形で曲率半径を大きく設定した円弧状に成形されると共に、所要の傾斜角度で前記遊技補助盤２９の前面に配設され、前記球送り装置の駆動により該発射レール３３の傾斜下端部(発射位置)にパチンコ球が送り出されるようになっている。なお、前記発射レール３３の発射位置には、パチンコ球の転動を規制する規制片(図示せず)が形成され、パチンコ球が発射レール３３から落下しないよう構成してある。一方前記下球皿１６は、前記中枠１２における枠体２６の設置盤２８の全面に取着されるセット支板と複数の皿構成部材(何れも図示せず)とを組み合わせてユニット化されており、その右側部に前記打球発射装置２０の操作ハンドル部２１(後述)が組み付けられている(図２参照)。
【００１８】
(打球発射装置について)
図２に示すように、前記中枠１２の右下部に装備される打球発射装置２０は、打球操作に基づいて上球皿１５から球送り装置を介して前記発射レール３３に送り込まれたパチンコ球(遊技球)を打ち出すロータリー駆動形態のものである。前記打球発射装置２０の基本的な構成は、球円筒形グリップ状にユニット化された操作ハンドル部２１と、この操作ハンドル部２１での操作入力条件に基づいてロータリーソレノイド２３が駆動されて打球動作を行なう打球駆動部２２とから構成され、該打球駆動部２２の裏側に配置された発射制御装置４１により駆動制御される。
【００１９】
前記操作ハンドル部２１は、固定基体をなす略半球形の把持体２１ａに、リング形の操作レバー２１ｂを組み付けてユニット化され、前記下球皿１６に対しビスを介して着脱可能に固定されて下球皿１６と一体化されている(図２参照)。また、前記操作ハンドル部２１には、電気的な操作入力用手段として、把持体２１ａの内部にロータリーソレノイド２３に対する可変抵抗器およびスイッチ(何れも図示せず)が組み込まれると共に、把持体２１ａの外周に金属製のタッチ感知環(図示せず)が取着されており、該把持体２１ａの内部を挿通した配線が、前記発射制御装置４１に電気的に接続される。
【００２０】
図１または図４に示すように、前記打球駆動部２２は、前記設置盤２８の右側部に前後に開口された収容部２８ｃに回転軸が後方に向けて突出するよう収容される駆動源としてのロータリーソレノイド２３と、該ロータリーソレノイド２３の回転軸２３ａに連結固定される往復回動式の打球杆２４とから構成されている。ここで、前記打球杆２４は、図４に示すように、パチンコ球を打ち出す打球部２４ａが常にはロータリーソレノイド２３の回転軸２３ａから右方向に位置する初期位置に保持され、該ロータリーソレノイド２３の駆動に伴い、該打球部２４ａが発射レール３３の発射位置に臨む終位置に揺動される。すなわち、前記ロータリーソレノイド２３への通電励磁毎に、前記打球杆２４が前記初期位置と終位置との間で揺動変移されて、発射レール３３における発射位置のパチンコ球を打ち出し得るようになっている。なお、前記ロータリーソレノイド２３は、前記設置盤２８の裏側にビスを介して着脱自在に固定された金属成形製の保持板３４に着脱自在に固定され、打球駆動部２２の全体を一体に取り扱い得るようにしてある。
【００２１】
(発射制御装置について)
前記発射制御装置４１は、前述のロータリーソレノイド２３およびその他打球発射装置２０の各電気部品、並びに前記球送り装置の総括的な入出力制御をなすもので、図６に示すように、合成樹脂成形製のケース体４２内に所要の回路を備えた回路基板４９が交換可能に内蔵されて、このケース体４２が前記設置盤２８(中枠１２)の裏側にヒンジ機構３６(後述)を介して着脱および回動可能に枢支されると共に(図７参照)、係合手段３８(後述)を介して該設置盤２８に対して略水平状態で固定されている。なお、前記ケース体４２は、前記回路基板４９を保持する方形皿状の受け盤４３と、回路基板４９を覆蓋保護する箱状のカバー４４とからなり、該受け盤４３の側部に突設した複数の突出片４３ａを、カバー４４に形成した孔部４４ａに係合することで一体的に取り扱い得るようになっている。なお、ケース体４２に関する以下の説明において左・右とは、図３に示すように、パチンコ機１０を裏側から視た状態で指称するものとする。
【００２２】
図１または図５に示すように、前記ケース体４２の右側部(一方の側部)には、上下方向に離間する位置に前側に向けて延出する第１の支持片４５が夫々形成されると共に、該第１の支持片４５,４５に上下に貫通するよう軸孔４５ａ,４５ａが穿設されている。そして、前記設置盤２８の裏側における前記収容部２８ｃの右側(すなわち、設置盤２８の右側部から所要距離だけ内側の位置)における上下方向に所要距離離間した位置に形成した第２の支持片２８ａ,２８ａに立設した支持軸２８ｂ,２８ｂに、前記軸孔４５ａ,４５ａを上方から挿通することにより、前記ヒンジ機構３６が構成されて、該ヒンジ機構３６を介して前記ケース体４２(発射制御装置４１)が前記設置盤２８(中枠１２)に対して回動自在に枢支される。
【００２３】
すなわち、前記ケース体４２(発射制御装置４１)は、前記軸孔４５ａ,４５ａを前記支持軸２８ｂ,２８ｂの上方に整列した状態で下方移動し、該支持軸２８ｂ,２８ｂを軸孔４５ａ,４５ａに挿通することで、前記設置盤２８(中枠１２)に対し回動自在に枢支し得ると共に、該ケース体４２を上方移動して軸孔４５ａ,４５ａから支持軸２８ｂ,２８ｂを抜き出すことにより、当該ケース体４２を設置盤２８(中枠１２)から取り外し得るよう構成されている。
【００２４】
また、前記ケース体４２の左側部(他方の側部)には、左方向に突出して後述する凹部(規制部)１１ｂに当接して該ケース体４２の回動を規制する突部４６が突設されており、該突部４６の所要位置に前側に向けて延出した係合フック(第１係合部)４７と、前記設置盤２８の側部から後方に延出する支持台３０の内側面に形成されて該係合フック４７と係脱自在に係合可能な係合孔(第２係合部)３１とから、前記係合手段３８が構成されている。そして、前記ヒンジ機構３６を介して前記ケース体４２(発射制御装置４１)を設置盤２８に近接する方向に回動することで、前記係合フック４７が係合孔３１に係合するようになっている。このとき、前記突部４６が前記支持台３０の後端面３０ａに当接してケース体４２の前側への回動を規制するよう設定されて、前記発射制御装置４１が前記設置盤２８(中枠１２)の裏側に固定される。なお、図１に示すように、前記発射制御装置４１を前記設置盤２８に固定した際に、両部材２８,４１の間に画成される空間３９に前記打球杆２４が位置して、該発射制御装置４１により前記打球駆動部２２が被覆されている。
【００２５】
ここで、図１に示すように、前記外枠１１の右側部(図１においては、左側部)を画成する枠部１１ａの内側面には、内側に開口するよう前記凹部１１ｂが形成されており、前記中枠１２を外枠１１に対し閉成した際に、前記発射制御装置４１の前記突部４６が前記凹部１１ｂの内側に臨むよう構成されている。すなわち、前記発射制御装置４１が前記ヒンジ機構３６を介して前記中枠１２に対し回動する軌跡中に、前記凹部１１ｂが臨むよう形成され、該中枠１２を外枠１１に対し閉成した状態では、前記突部４６と外枠１１とが前後に重なるように位置するよう設定される(図１または図５参照)。すなわち、前記係合フック４７と前記係合孔３１との係合が解除され、前記ヒンジ機構３６を介して前記発射制御装置４１が回動したとしても、前記突部４６が凹部１１ｂの後面に接触して発射制御装置４１の中枠１２からの離間を阻止するようになっている。ここで、前記中枠１２を外枠１１に対し閉成した状態においては、前記突部４６と前記凹部１１ｂの後面とは僅かに離間するよう構成してある。
【００２６】
(実施例の作用)
次に、前述の如く形成したパチンコ機における発射制御装置の取付構造の作用につき説明する。先ず、前記発射制御装置４１の設置盤２８(中枠１２)への取り付けについて説明する。前記連結支持手段１７を介して前記中枠１２を前記外枠１１に対して開放し、この状態で、前記ケース体４２(発射制御装置４１)に形成した軸孔４５ａ,４５ａを、前記設置盤２８(中枠１２)の裏側に形成した支持軸２８ｂ,２８ｂの上方に整列させ、ケース体４２を下方に移動して軸孔４５ａ,４５ａに支持部２８ｂ,２８ｂを挿通する。これにより、前記発射制御装置４１は、前記軸孔４５ａ,４５ａおよび支持軸２８ｂ,２８ｂ(すなわち、ヒンジ機構３６)を介して、前記設置盤２８(中枠１２)に対し回動自在に枢支される(図７参照)。このとき、前記ケース体４２の第１の支持片４５が、前記設置盤２８の第２の支持片２８ａに当接することにより、発射制御装置４１の下方移動は規制され、前記ヒンジ機構３６を介して所定位置に枢支される。
【００２７】
更にこの状態で、前記ヒンジ機構３６を介して前記発射制御装置４１を前記設置盤２８(中枠１２)に向けて回動させると、前記ケース体４２の突部４６が前記設置盤２８(中枠１２)の支持台３０における後端面３０ａに当接して前方移動が規制されると共に、該ケース体４２に形成した前記係合フック４７が、支持台３０に形成した前記係合孔３１に係合して後方移動が規制されて、発射制御装置４１が中枠１２に取り付けられる。そして、前記連結支持手段１７を介して前記中枠１２を前記外枠１１に対し閉成することにより、パチンコ機１０として遊技に供される。
【００２８】
ここで、前記設置盤２８(中枠１２)に前記発射制御装置４１を固定した状態で、前記中枠１２を前記外枠１１に対して閉成した際に、該発射制御装置４１に形成した突部４６が、該外枠１１に形成した前記凹部１１ｂに臨み、該突部４６の後方に凹部１１ｂの後面が近接するようになっている。すなわち、パチンコ機１０を運搬する際の振動等により、万が一前記係合フック４７と前記係合孔３１との係合状態が解除された場合であっても、前記発射制御装置４１が前記ヒンジ機構３６を介して設置盤２８(中枠１２)から後方(離間方向)へ回動するのは阻止され、図１に示すように、発射制御装置４１は僅かに揺れ動くだけである。
【００２９】
従って、前記係合フック４７と前記係合孔３１との係合状態が一旦解除されても、振動等により前記発射制御装置４１が揺れ動くことで、該係合フック４７が係合孔３１に臨んだ際には、これら係合フック４７と係合孔３１とを再度係合させて固定し得るから、前記発射制御装置４１が中枠１２から脱落して損傷するのは防止される。なお、前記外枠１１の枠部１１ａに前記凹部１１ｂを一体的に形成することで、前記発射制御装置４１の回動を規制する規制部材を新たに設ける必要はなく、コストの増大を抑制し得ると共に、部品点数を少なくしてパチンコ機１０の組み付け作業性を向上し得る。
【００３０】
また、前述したように、パチンコ機１０を運搬するに際して、通常はパチンコ機１０を横置き状態にして重心位置を下げ、運搬時の振動等によりパチンコ機１０が転倒し難くしている。この場合に、本実施例における前記発射制御装置４１を枢支する前記支持軸２８ｂ,２８ｂは、上下方向に延在するよう構成してあるから、パチンコ機１０を横置きとした際には、前記発射制御装置４１は、前記軸孔４５ａ,４５ａを介して前記支持軸２８ｂ,２８ｂに吊り下げられた状態、あるいは該支持軸２８ｂ,２８ｂの上方に載置された状態の何れかの状態になる。従って、前記係合フック４７と係合孔３１との係合状態が解除された場合に、前記発射制御装置４１の軸孔４５ａ,４５ａが前記支持軸２８ｂ,２８ｂから抜け落ちる方向に力が作用しないから、該発射制御装置４１が中枠１２から脱落して損傷するのはより確実に防止し得る。
【００３１】
ここで、前記突部４６や係合フック４７を前記ヒンジ機構３６に近接して設けた場合には、僅かな振動が発生した場合であっても、テコの原理によりこれら部材４６,４７にはより大きな負荷が掛かることになるから、該突部４６が損傷したり、係合フック４７と係合孔３１との係合が解除され易くなる。これに対して、本実施例では、前記突部４６および係合フック４７の夫々を、前記ケース体４２におけるヒンジ機構３６の形成側の側部とは反対側の側部に形成してある。すなわち、前記突部４６の損傷や、係合フック４７と係合孔３１との係合の解除を、より確実に阻止することが可能である。
【００３２】
次に、前記発射制御装置４１の設置盤２８(中枠１２)からの取り外しについて説明する。前記連結支持手段１７を介して前記中枠１２を前記外枠１１に対して開放し、該中枠１２の裏側を前側に露出させる。このとき、前記発射制御装置４１は、前記中枠１２(設置盤２８)に固定してあるから、該中枠１２の回動に伴い該発射制御装置４１の突部４６も前記外枠１１の凹部１１ｂから離間する。この状態で、前記係合フック４７を弾性変形させて前記係合孔３１との係合を解除すると共に、前記ヒンジ機構３６を介して前記発射制御装置４１を前記設置盤２８から離間する方向に回動し(図７参照)、更に発射制御装置４１を上方に引き上げて前記支持軸２８ｂ,２８ｂから前記軸孔４５ａ,４５ａを抜き外すことにより、当該発射制御装置４１が設置盤２８(中枠１２)から取り外される。
【００３３】
このように、前記発射制御装置４１は、前記支持軸２８ｂ,２８ｂを前記軸孔４５ａ,４５ａに挿通した状態で前記係合フック４７と係合孔３１とを係合させることで前記設置盤２８(中枠１２)に固定し得ると共に、該係合フック４７と係合孔３１との係合を解除した状態で該支持軸２８ｂ,２８ｂから軸孔４５ａ,４５ａを抜き外すことで設置盤２８(中枠１２)から取り外し得る。すなわち、前記発射制御装置４１に不具合が生じた場合であっても、該発射制御装置４１の交換作業やメンテナンス作業を容易に行ない得る。
【００３４】
ところで、前述のように、従来では前記打球駆動部２２の後方を保持台で覆い、該保持台に発射制御装置４１を配置するようになっている。従って、打球駆動部２２に不具合が生じ、交換やメンテナンス作業を行なう際には、発射制御装置４１を取り外した後に、更に保持台も取り外さなければならず、作業が煩雑であった。これに対して、実施例に係る発射制御装置４１の取付構造によれば、前記打球駆動部２２の後方を発射制御装置４１で直接被覆するよう構成したから、該発射制御装置４１を回動して設置盤２８から離間させるだけで、該打球駆動部２２を露出させることができ、該打球駆動部２２の交換やメンテナンス作業を容易に行ない得ると共に、交換等の作業を簡略化し得る。
【００３５】
(変更例)
なお、本発明に係る制御装置の取付構造としては、実施例のものに限られず種々の変更が可能である。実施例では制御装置として打球発射装置を制御する発射制御装置を例にして説明したが、中枠に配設された各種構成部品を制御して、中枠の裏側にヒンジ機構を介して一方の側部が枢支されると共に、他方の側部に形成した係合手段(第１係合部および第２係合部)を介して中枠に固定される制御装置であれば、何れの制御装置であってもよい。例えば、前記構成部品としては、パチンコ機の払い出しを行なう球払出装置や、パチンコ機を発光装飾するランプ装置、その他スピーカや図柄表示装置等が挙げられ、制御装置としては、これら各部品を制御する払出制御装置、ランプ制御装置、音制御装置や表示制御装置、その他パチンコ機全体を制御する主制御装置等が挙げられる。
【００３６】
また、実施例では制御装置の右側部側にヒンジ機構を設け、左側部側に係合手段を形成するようにしたが、左右逆に形成するようにしてもよく、更には制御装置における上下の側部の一方にヒンジ機構を設け、他方の側部に係合手段を設けるようにしてもよい。また、ヒンジ機構の構成としては、実施例のものに限られず、制御装置を中枠(設置盤)に対して着脱および回動自在に枢支する構成であれば、従来公知の各種構成を採用し得る。同様に、前記係合手段に関しても、制御装置を中枠(設置盤)に対して着脱自在に固定し得る構成であれば、従来公知の任意の係合手段を採用することが可能である。
【００３７】
更に、実施例では、前記中枠を外枠に対し閉成した際に、該外枠に形成した凹部(規制部)に前記制御装置に形成した突部が近接するよう構成したが、該突部が凹部に当接するよう構成することも可能である。この場合には、前記中枠を外枠に対し閉成した状態で前記第１係合部と第２係合部との係合状態が解除されるのは確実に防止されるから、パチンコ機の運搬時等に前記制御装置が中枠から脱落して損傷することはない。
【００３８】
なお、前記制御装置が中枠から離間するのを阻止する規制部として、前記外枠に凹部を一体的に形成するようにしたが、その構成や形状等はこれに限られるものではなく、制御装置が中枠から離間するのを阻止し得る構成であれば何れの構成や形状の規制部を採用し得る。すなわち、前記中枠を外枠に対して閉成した際に、前記制御装置の後方に臨む規制部を該外枠に別体として形成するようにしてもよい。また、前記外枠は、全体を合成樹脂や木材で形成したり、合成樹脂と木材とを組み合わせて形成することが可能である。また、遊技機としては、パチンコ機に限られるものではなく、アレンジボール機等であってもよく、種々の構成部品を配設した中枠を外枠に開閉可能に組み付け、該中枠に構成部品の制御を行なう制御装置を配置するようにした遊技機であれば、何れの遊技機でもよい。
【図面の簡単な説明】
【００３９】
【図１】本発明の実施例に係る発射制御装置を中枠の設置盤に固定すると共に、該中枠を外枠に対して閉成した状態を示す横断平面図である。
【図２】実施例に係るパチンコ機を示す正面図である。
【図３】実施例に係るパチンコ機を示す背面図である。
【図４】実施例に係る中枠の主要部を示す正面図である。
【図５】実施例に係る発射制御装置を中枠の設置盤に固定した状態を拡大して示す背面図である。
【図６】実施例に係る発射制御装置を分解して示す側面図である。
【図７】実施例に係る発射制御装置を中枠の設置盤に対して開放した状態を示す横断平面図である。
【符号の説明】
【００４０】
１０  パチンコ機(遊技機)
１１  外枠
１１ａ  凹部(規制部)
１２  中枠
２０  打球発射装置
２２  打球駆動部
３１  係合孔(第２係合部)
３６  ヒンジ機構
４１  発射制御装置(制御装置)
４６  突部
４７  係合フック(第１係合部)
【図１】
2005065848.tif 000003
【図２】
2005065848.tif 000004
【図３】
2005065848.tif 000005
【図４】
2005065848.tif 000006
【図５】
2005065848.tif 000007
【図６】
2005065848.tif 000008
【図７】
2005065848.tif 000009